(57)【要約】【課題】毛髪にテンションを付与する際のブラシ操作の簡便化が可能な新たなヘアーブラシを提供する。【解決手段】ヘアーブラシ１０は、把持部１２に連設したブラシ本体２０に、第１ブラシ歯列３０と第２ブラシ歯列４０とを備える。第１ブラシ歯列３０は、ブラシ歯列設置部２１の湾曲部に等ピッチで４列に亘って形成され、ブラシ歯を毛髪の梳きが可能な間隔の第１歯間ピッチＰ１で列状に並べている。第２ブラシ歯列４０は、第１ブラシ歯列３０の列間に配設されており、第１ブラシ歯列３０の第１歯間ピッチＰ１より狭い第２歯間ピッチＰ２でブラシ歯を列状に並べて隣り合う第１並列ブラシ歯列４１と第２並列ブラシ歯列４２から構成される。これら並列ブラシ歯列は、それぞれのブラシ歯列におけるブラシ歯を第２歯間ピッチＰ２で列状に並べた上で、ブラシ歯を互い違いとなるように備える。【選択図】図１
2011045612.tif 000002
【特許請求の範囲】
【請求項１】
把持部にブラシ本体を連設したヘアーブラシであって、
前記ブラシ本体に、毛髪の梳きが可能な第１歯間ピッチでブラシ歯を前記ブラシ本体の長手方向に沿って櫛歯列状に並べた第１ブラシ歯列と、毛髪の梳きの際にその梳かれる毛髪との摩擦により毛髪の梳き動作に伴う毛髪へのテンション付与を可能とするようにブラシ歯を前記長手方向に沿って列状に並べた第２ブラシ歯列とを備え、
該第２ブラシ歯列は、並列に並べた前記第１ブラシ歯列の歯列間に配設されている
ヘアーブラシ。
【請求項２】
前記第２ブラシ歯列は、前記第１ブラシ歯列の前記ブラシ歯より短いブラシ歯を備える請求項１に記載のヘアーブラシ。
【請求項３】
前記第２ブラシ歯列は、前記第１ブラシ歯列の歯列間において隣り合う複数列の並列ブラシ歯列とされている請求項１または請求項２に記載のヘアーブラシ。
【請求項４】
請求項３に記載のヘアーブラシであって、
前記第２ブラシ歯列は、前記並列ブラシ歯列のそれぞれにおいて前記第１歯間ピッチより狭い第２歯間ピッチでブラシ歯を櫛歯列状に並べて備えることで、前記毛髪との摩擦による前記テンション付与を可能とするヘアーブラシ。
【請求項５】
請求項３または請求項４に記載のヘアーブラシであって、
前記第２ブラシ歯列は、前記隣り合う並列ブラシ歯列において前記ブラシ歯を互い違いに並べて備えることで、前記毛髪との摩擦による前記テンション付与を可能とするヘアーブラシ。
【請求項６】
前記ブラシ本体は、湾曲したブラシ歯列設置部に前記第１ブラシ歯列を多列に備え、隣り合う前記第１ブラシ歯列の歯列間に前記第２ブラシ歯列を備える請求項４または請求項５に記載のヘアーブラシ。
【請求項７】
請求項３に記載のヘアーブラシであって、
前記第２ブラシ歯列は、前記並列ブラシ歯列のそれぞれを、多数本の毛を束ねた毛束を列状に並べた植毛ブラシ列とし、前記毛束により前記毛髪との摩擦による前記テンション付与を可能とするヘアーブラシ。
【請求項８】
前記ブラシ本体における前記第１、第２ブラシ歯列のブラシ歯列設置部の両端縁の側に、前記毛髪との摩擦により毛髪の梳き動作に伴う毛髪へのテンション付与を可能とする歯間ピッチでブラシ歯を前記長手方向に沿って櫛歯列状に並べた端縁側ブラシ歯列を備える請求項１ないし請求項７いずれかに記載のヘアーブラシ。
【請求項９】
前記ブラシ歯列設置部の両端縁の側に位置する前記端縁側ブラシ歯列は、前記ブラシ歯の基部が背中合わせとなるように前記ブラシ歯を外側に向けて備える請求項８に記載のヘアーブラシ。
【請求項１０】
前記第１、第２ブラシ歯列の設置された前記ブラシ本体におけるブラシ歯列設置部を含む部位を前記把持部に対して脱着可能に備える請求項１ないし請求項９いずれかに記載のヘアーブラシ。
【請求項１１】
前記第１、第２のブラシ歯列の配設側を前記ブラシ本体の本体前面とし、該本体前面の裏面側の本体背面に、毛髪の梳きが可能なピッチでブラシ歯を前記ブラシ本体の長手方向に沿って櫛歯列状に多列に並べた背面ブラシ部を備える請求項１ないし請求項１０いずれかに記載のヘアーブラシ。
【請求項１２】
前記背面ブラシ部は、毛髪処理用の薬剤の保持と毛髪の梳き動作に伴う毛髪への前記薬剤の塗布とが可能に前記ブラシ歯を備える請求項１１に記載のヘアーブラシ。
【請求項１３】
前記背面ブラシ部は、前記ブラシ本体に着脱自在とされている請求項１１または請求項１２に記載のヘアーブラシ。
【発明の詳細な説明】
【技術分野】
【０００１】
本発明は、把持部にブラシ本体を連設したヘアーブラシに関する。
【背景技術】
【０００２】
ヘアーブラシは、毛髪を梳くのみならず、頭髪の縮毛をなるべく真っ直ぐな髪に矯正するストレートパーマにも使用され、種々提案されている（例えば、特許文献１等）。
【先行技術文献】
【特許文献】
【０００３】
【特許文献１】特開２００６−１０２３６３号公報
【発明の概要】
【発明が解決しようとする課題】
【０００４】
上記の特許公報で提案されたヘアーブラシは、片手で握り得る二本の柄をピンセット型に連結し、ストレートパーマに際しては、二本の柄が使用者の片手で把持される。この使用者は、ストレートパーマ用の薬剤を縮毛に塗布した上で、ヘアーブラシの二本の柄を把持して縮毛をブラシにて挟み、柄を把持したままヘアーブラシを毛先側に移動させて縮毛にテンションを付与する。こうしてテンションを付与したまま、使用者はもう片方の手でドライヤーを持って温風をテンション付与箇所の毛髪に当てている。
【０００５】
上記したピンセット型のヘアーブラシを用いたストレートパーマには、パーマの出来映えについての問題は全くない。しかしながら、ピンセット型の二本の柄の把持状況は、ブラシによる縮毛挟持延いては毛髪へのテンション付与の状況に影響を及ぼすため、二本の柄が離れないように柄を握りしめるという特異な把持動作をパーマ施術中に亘って継続しなければならなかった。特に、ストレートパーマを所望する人自らがストレートパーマを施術する場合には、そのパーマ所望者は、その人自身の毛髪にテンションを掛けるために自らの一方の手で上記した特異な把持動作を行いつつ、他方の手でドライヤーを操作する必要があることから、ブラシの把持動作に慎重さが必要となり、その改善が求められるに至った。
【０００６】
本発明は、上記した課題を踏まえ、毛髪にテンションを付与する際のブラシ操作の簡便化が可能な新たなヘアーブラシを提供することをその目的とする。
【課題を解決するための手段】
【０００７】
上記した目的の少なくとも一部を達成するために、本発明では、以下の構成を採用した。
【０００８】
[適用：ヘアーブラシ]
把持部にブラシ本体を連設したヘアーブラシであって、
前記ブラシ本体に、毛髪の梳きが可能な第１歯間ピッチでブラシ歯を前記ブラシ本体の長手方向に沿って櫛歯列状に並べた第１ブラシ歯列と、毛髪の梳きの際にその梳かれる毛髪との摩擦により毛髪の梳き動作に伴う毛髪へのテンション付与を可能とするようにブラシ歯を前記長手方向に沿って列状に並べた第２ブラシ歯列とを備え、
該第２ブラシ歯列は、並列に並べた前記第１ブラシ歯列の歯列間に配設されている
ことを要旨とする。
【０００９】
上記構成のヘアーブラシを用いる場合、使用者は、把持部を把持して上記構成のヘアーブラシを毛髪の根元側から毛先側に動かす毛髪の梳き動作を行う。この毛髪梳き動作により、毛髪は、ブラシ本体に並列に並べた第１ブラシ歯列とこの歯列間の第２ブラシ歯列とで梳かれることになる。並列に並んだ第１ブラシ歯列は、そのブラシ歯を毛髪の梳きが可能な第１歯間ピッチでブラシ本体の長手方向に沿って櫛歯列状に並べていることから、上記した毛髪梳き動作に伴って、毛髪の毛流れを整える。
【００１０】
その一方、第１ブラシ歯列の歯列間の第２ブラシ歯列は、そのブラシ歯を毛髪の梳きの際にその梳かれる毛髪との摩擦により毛髪梳き動作に伴う毛髪へのテンション付与を可能とするように長手方向に沿って列状に並べていることから、この第２ブラシ歯列にて梳かれる毛髪は、上記した毛髪梳き動作に伴ってテンションを受ける。この場合、第２ブラシ歯列は、第１ブラシ歯列の歯列間に位置することから、毛髪には、第１ブラシ歯列で上記したように毛流れが整えられて第２ブラシ歯列によりテンションを付与できる。テンションを受けた毛髪は、ほぼ真っ直ぐに伸ばされた状態となる。そして、上記構成のヘアーブラシは、こうした毛髪へのテンション付与を使用者による毛髪梳き動作だけで起こし、テンション付与に際して二本の柄が離れないように柄を握りしめるという特異な把持動作を必要としない。しかも、使用者が毛髪梳き動作を途中で中断してヘアーブラシを梳き動作の中断位置に留め置きさえすれば、上記構成のヘアーブラシは、毛髪との摩擦に基づいて第２ブラシ歯列により毛髪にテンションを付与したままとする。この結果、上記構成のヘアーブラシによれば、把持部を単純に握るように把持してヘアーブラシを毛髪の根元側から毛先側に動かす毛髪の梳き動作だけで、毛髪に容易にテンションを付与することができる。このことは、縮毛のストレートパーマに適したヘアーブラシを提供できることも意味する。
【００１１】
上記したヘアーブラシは、次のような態様とすることができる。例えば、前記第２ブラシ歯列の前記ブラシ歯を、前記第１ブラシ歯列の前記ブラシ歯より短くすることができる。こうすれば、毛髪は、ブラシ歯の長い第１ブラシ歯列で確実に先に梳かれてからブラシ歯の短い第２ブラシ歯列で梳かれることになる。よって、第１ブラシ歯列にて毛流れが整えられた毛髪に対しての第２ブラシ歯列によるテンション付与が確実となり、縮毛のストレートパーマに際しての縮毛のストレート化とその保持に好適となる。
【００１２】
このように第１、第２ブラシ歯列にブラシ歯の長さに長短を設けた場合、第１ブラシ歯列は、第２ブラシ歯列のブラシ歯より長いブラシ歯部分において、既述した毛髪梳き動作に伴う毛流れの整えを必然的に起こす。よって、第１ブラシ歯列においては、毛髪の梳きが可能な第１歯間ピッチで並んだブラシ歯の間に、第２ブラシ歯列のブラシ歯と同程度の長さもしくはこれより短い長さのブラシ歯を付加するようにすることもできる。こうすれば、第１ブラシ歯では、元々備えるブラシ歯とこの付加ブラシ歯とが櫛歯列状に短ピッチで並ぶことから、付加ブラシ歯の長さに亘る範囲では、短ピッチでのプラシ歯の並びにより毛髪にテンションを付与することもできる。よって、毛髪へのテンション付与の実効性を高めることができる。
【００１３】
また、前記第２ブラシ歯列を、前記第１ブラシ歯列の歯列間において隣り合う複数列の並列ブラシ歯列とすることもできる。こうすれば、ブラシ歯列の増加により、毛髪へのテンション付与の実効性をより高めることができる。
【００１４】
そして、このように複数列の並列ブラシ歯列で構成した第２ブラシ歯列については、この第２ブラシ歯列を、前記並列ブラシ歯列のそれぞれにおいて前記第１歯間ピッチより狭い第２歯間ピッチでブラシ歯を櫛歯列状に並べる、或いは、前記隣り合う並列ブラシ歯列において前記ブラシ歯を互い違いに並べて備えるものとできる。こうすれば、隣り合う並列ブラシ歯列としての第２ブラシ歯列において、毛髪は歯間ピッチが狭くて互い違いのブラシ歯にて梳かれることになるので、前記第２歯間ピッチでの櫛歯列状のブラシ歯の並びと前記互い違いのブラシ歯の並びのいずれかもしくはこの両者により、毛髪との摩擦によるテンション付与の実効性をより高めることができる。
【００１５】
この場合、前記ブラシ本体は、湾曲したブラシ歯列設置部に前記第１ブラシ歯列を多列に備え、隣り合う前記第１ブラシ歯列の歯列間に前記第２ブラシ歯列を備えるものできる。こうすれば、ブラシ本体をブラシ歯列の列方向から見ると、多列の第１ブラシ歯列とその間の第２ブラシ歯列とは、ブラシ歯列設置部に倣ってアーチ状に各ブラシ歯を並べることになる。よって、使用者が毛髪梳き動作の中断位置にヘアーブラシを留め置く際に、その使用者がヘアーブラシを回転させることで、アーチ軌跡範囲において毛髪がそれぞれの第２ブラシ歯列で梳かれることから、容易に毛髪にテンションを付与したままとできる。
【００１６】
このように多列に備えた前記第１ブラシ歯列において、その隣り合う列では前記ブラシ歯を前記第１歯間ピッチで互い違いに備えるようにすることもできる。こうすれば、多列の第１ブラシ歯列による毛髪梳きの際の毛流れの整列化に寄与できる。
【００１７】
また、前記第２ブラシ歯列を隣り合う複数列の並列ブラシ歯列とするに当たり、前記第２ブラシ歯列を構成する前記並列ブラシ歯列のそれぞれを、多数本の毛を束ねた毛束を列状に並べた植毛ブラシ列とすることができる。こうすれば、複数列の並列ブラシ歯列のそれぞれの毛束により毛髪が梳かれることになるので、個々の毛束における毛髪との摩擦により毛髪にテンションを付与できる。
【００１８】
上記した各態様のヘアーブラシにおいて、前記ブラシ本体における前記第１、第２ブラシ歯列のブラシ歯列設置部の両端縁の側に、端縁側ブラシ歯列を備えるようにした上で、この端縁側ブラシ歯列を、前記毛髪との摩擦により毛髪の梳き動作に伴う毛髪へのテンション付与を可能とする歯間ピッチでブラシ歯を前記長手方向に沿って櫛歯列状に並べたものとできる。こうすれば、ヘアーブラシの上記した回転により、この端縁側ブラシ歯列によっても毛髪との摩擦によりテンションを付与できるので、毛髪へのテンション付与およびテンション維持が容易となる。
【００１９】
更に、前記ブラシ歯列設置部の両端に位置する前記端縁側ブラシ歯列を、前記ブラシ歯の基部が背中合わせとなるように前記ブラシ歯を外側に向けて備えるものとできる。こうすれば、ブラシ歯列設置部両端の端縁側ブラシ歯列は、ブラシ歯を１８０°の開きを持って並べるので、毛髪へのテンション付与とテンション維持を図るための上記したヘアーブラシの回転動作の許容範囲が広がり、ヘアーブラシの使用方法の多様化を図ることができる。
【００２０】
また、前記第１、第２ブラシ歯列の設置された前記ブラシ本体におけるブラシ歯列設置部を含む部位を前記把持部に対して脱着可能とすることもできる。こうすれば、毛髪処理用の薬剤、例えばストレートパーマ用の薬剤が付着してブラシ歯が汚れたり、第２ブラシ歯列のブラシ歯間で薬剤が硬化したりした場合には、上記部位を着脱交換することで、容易に再使用の対処が可能となる。
【００２１】
加えて、前記第１、第２のブラシ歯列の配設側を本体前面とし、該本体前面の裏面側の本体背面に、毛髪の梳きが可能なピッチでブラシ歯を前記ブラシ本体の長手方向に沿って櫛歯列状に多列に並べた背面ブラシ部を備えるようにすることもできる。こうすれば、本体前面のブラシ歯を用いた例えば薬剤使用の毛髪処理に先だち、或いは当該毛髪処理後に、背面ブラシ部にて毛髪梳きを過不足なく実行できる。
【００２２】
そして、この背面ブラシ部を、毛髪処理用の薬剤の保持と毛髪の梳き動作に伴う毛髪への前記薬剤の塗布とが可能な前記ブラシ歯を備えるようにすることもできる。こうすれば、毛髪への薬剤塗布を手を用いないで行うようにすることもできる。この場合、背面ブラシ部を前記ブラシ本体に着脱自在とすることもできる。
【図面の簡単な説明】
【００２３】
【図１】本発明の実施例としてのヘアーブラシ１０のブラシ側からの概略斜視図である。
【図２】ヘアーブラシ１０の背面側からの概略斜視図である。
【図３】ヘアーブラシ１０の概略正面図である。
【図４】ヘアーブラシ１０のブラシ部分を断面視して示す概略断面図である。
【図５】第１ブラシ歯列３０と第２ブラシ歯列４０のブラシ歯配列の様子を説明する説明図である。
【図６】第１歯間ピッチＰ１でブラシ歯を櫛歯列状に並べた第１ブラシ歯列３０による毛髪梳きの様子を模式的に示す説明図である。
【図７】第２歯間ピッチＰ２でブラシ歯を千鳥状に並べた第２ブラシ歯列４０による毛髪梳きの様子を模式的に示す説明図である。
【図８】ストレートパーマを所望する本人（使用者）自身によるストレートパーマ施術の様子を模式的に示す説明図である。
【図９】ストレートパーマ施術の際の毛髪の梳きの様子を模式的に示す説明図である。
【図１０】変形例のヘアーブラシ１０Ａを説明するための説明図である。
【図１１】また別の変形例のヘアーブラシ１０Ｂを説明するための説明図である。
【図１２】第２実施例のヘアーブラシ１１０の正面図である。
【図１３】ヘアーブラシ１１０の右側面図である。
【図１４】ヘアーブラシ１１０の平面図である。
【図１５】ヘアーブラシ１１０の底面図である。
【図１６】ヘアーブラシ１１０の背面図である。
【図１７】図１２における１７−１７線断面端面図である。
【図１８】図１２における１８−１８線断面端面図である。
【図１９】図５相当図であり第１ブラシ歯列１３０と第２ブラシ歯列１４０のブラシ歯配列の様子を説明する説明図である。
【図２０】変形例のヘアーブラシ１１０Ａの正面図である。
【図２１】ヘアーブラシ１１０Ａの右側面図である。
【図２２】ヘアーブラシ１１０Ａの平面図である。
【図２３】ヘアーブラシ１１０Ａの底面図である。
【図２４】ヘアーブラシ１１０Ａの背面図である。
【図２５】図２０における２５−２５線断面図である。
【図２６】また別の変形例のヘアーブラシ１１０Ｂの正面図である。
【図２７】ヘアーブラシ１１０Ｂの右側面図である。
【図２８】ヘアーブラシ１１０Ｂの平面図である。
【図２９】ヘアーブラシ１１０Ｂの底面図である。
【図３０】ヘアーブラシ１１０Ｂの背面図である。
【図３１】図２６における３１−３１線断面図である。
【図３２】また別の実施例のヘアーブラシ２１０の正面図である。
【図３３】ヘアーブラシ２１０の右側面図である。
【図３４】ヘアーブラシ２１０の平面図である。
【図３５】ヘアーブラシ２１０の底面図である。
【図３６】ヘアーブラシ２１０の背面図である。
【発明を実施するための形態】
【００２４】
以下、本発明の実施の形態について、その実施例を図面に基づき説明する。図１は本発明の実施例としてのヘアーブラシ１０のブラシ側からの概略斜視図、図２はヘアーブラシ１０の背面側からの概略斜視図、図３はヘアーブラシ１０の概略正面図、図４はヘアーブラシ１０のブラシ部分を断面視して示す概略断面図である。
【００２５】
図示するように、ヘアーブラシ１０は、把持部１２にブラシ本体２０を連設して備える樹脂成形品である。把持部１２は、ブラシ側とその背面に弧状形状の凸部１２ａとストレート状の凸部１２ｂを備える。これら凸部は、把持部１２を使用者が指で把持した際の滑り止めとして機能する。
【００２６】
ブラシ本体２０は、湾曲したブラシ歯列設置部２１に第１ブラシ歯列３０と第２ブラシ歯列４０とを備え、ブラシ歯列設置部２１の湾曲端縁の側に、第１端縁側ブラシ歯列５１と第２端縁側ブラシ歯列５２とを備える。第１ブラシ歯列３０は、ブラシ歯列設置部２１の湾曲部にその湾曲に沿って等ピッチで４列に亘って形成され、それぞれの第１ブラシ歯列３０は、ブラシ歯を毛髪の梳きが可能な第１歯間ピッチＰ１でブラシ本体の長手方向に沿って櫛歯列状に並べている。この第１歯間ピッチＰ１と４列の第１ブラシ歯列３０の並びについては後述する。なお、図４に示すように、４列の第１ブラシ歯列３０については、それぞれのブラシ歯列を区別する際には第１ブラシ歯列３０Ｒ１〜Ｒ２、第１ブラシ歯列３０Ｌ１〜Ｌ２と称する。
【００２７】
第２ブラシ歯列４０は、第１ブラシ歯列３０の列間に配設されており、第１ブラシ歯列３０の第１歯間ピッチＰ１より狭い第２歯間ピッチＰ２でブラシ歯をブラシ本体の長手方向に沿って櫛歯列状に並べて隣り合う２列の並列ブラシ歯列である。図５は第１ブラシ歯列３０と第２ブラシ歯列４０のブラシ歯配列の様子を説明する説明図である。なお、この図５では湾曲したブラシ歯列設置部２１を平板状に延ばしたと仮定した場合のブラシ歯配列の様子が示されている。
【００２８】
この図５に示すように、第２ブラシ歯列４０を構成するよう隣り合って並んだ２列の第１並列ブラシ歯列４１と第２並列ブラシ歯列４２とは、それぞれのブラシ歯列におけるブラシ歯を第２歯間ピッチＰ２でブラシ本体の長手方向に沿って櫛歯列状に並べた上で、ブラシ歯を互い違いとなるように備える。このため、隣り合って並んだ２列の第１並列ブラシ歯列４１と第２並列ブラシ歯列４２で構成される第２ブラシ歯列４０は、第２歯間ピッチＰ２の半分のピッチでブラシ歯を千鳥状に備えることになる。本実施例では、この第２歯間ピッチＰ２を約２ｍｍとした。そして、図４に示すように、第２ブラシ歯列４０のブラシ歯は、第１ブラシ歯列３０のブラシ歯より短くされている。本実施例では、第２ブラシ歯列４０のブラシ歯長さを第１ブラシ歯列３０のブラシ歯長のほぼ８割の約１２ｍｍとした。第２ブラシ歯列４０のブラシ歯形状については、本実施例では、図５に示すように平面視で三角錐状としたが、円錐状や平板状とすることもできる。
【００２９】
また、図５から明らかなように、それぞれの第１ブラシ歯列３０は、第１歯間ピッチＰ１でブラシ歯を列状に並べるほか、隣り合う列においては、具体的には第１ブラシ歯列３０Ｌ１と第１ブラシ歯列３０Ｌ２とでは、ブラシ歯を第１歯間ピッチＰ１で互い違いに備える。第１ブラシ歯列３０Ｒ１と第１ブラシ歯列３０Ｒ２についても同様である。第１ブラシ歯列３０Ｌ１と第１ブラシ歯列３０Ｒ１とについても、ブラシ歯を第１歯間ピッチＰ１で互い違いに備えるようにすることもできる。第１ブラシ歯列３０の第１歯間ピッチＰ１は、既述したように毛髪の梳きが可能なブラシ歯間隔であり、毛髪梳き用の既存のヘアーブラシと変わるものではなく、本実施例では約４ｍｍである。なお、この第１歯間ピッチＰ１は、毛髪の梳きが可能なブラシ歯間隔として実用に耐える範囲において適宜設定される。また、図４に示すように、第１ブラシ歯列３０Ｌ１と第１ブラシ歯列３０Ｒ１の列間の第２ブラシ歯列４０がブラシ歯列設置部２１の湾曲部頂上に位置するよう第１ブラシ歯列３０Ｌ１と第１ブラシ歯列３０Ｒ１を配設したが、第１ブラシ歯列３０をブラシ歯列設置部２１の湾曲部頂上に位置させた上で、第１ブラシ歯列３０を等ピッチで配設し、この列間に第２ブラシ歯列４０を配設することもできる。
【００３０】
ここで、第１歯間ピッチＰ１と第２歯間ピッチＰ２について、図を持って説明する。図６は第１歯間ピッチＰ１でブラシ歯を櫛歯列状に並べた第１ブラシ歯列３０による毛髪梳きの様子を模式的に示す説明図、図７は第２歯間ピッチＰ２でブラシ歯を千鳥状に並べた第２ブラシ歯列４０による毛髪梳きの様子を模式的に示す説明図である。図６に示すように、第１歯間ピッチＰ１の第１ブラシ歯列３０は、当該ピッチが毛髪の梳きが可能な間隔であることから、ヘアーブラシ１０を毛髪の根元側から毛先側に動かす毛髪の梳き動作に伴い、毛髪（縮毛）の毛流れを整える。その一方、第２歯間ピッチＰ２の第２ブラシ歯列４０は、当該ピッチが約２ｍｍと狭い上に、第１並列ブラシ歯列４１のブラシ歯と第２並列ブラシ歯列４２のブラシ歯を互い違いに千鳥状に備える。よって、この第２ブラシ歯列４０は、間隔の狭い第２歯間ピッチＰ２での第１並列ブラシ歯列４１と第２並列ブラシ歯列４２との櫛歯列状のブラシ歯の並びと両並列ブラシ歯列での互い違いのブラシ歯の並びとにより、上記した毛髪梳き動作に伴って、毛髪梳きの際の毛髪（縮毛）との摩擦によるテンションを毛髪に付与する。しかも、第２ブラシ歯列４０は、第１ブラシ歯列３０の列間に位置することから、第１ブラシ歯列３０で上記したように毛流れが整えられた毛髪（縮毛）にテンションを付与する。
【００３１】
第１ブラシ歯列３０Ｌ２と第１ブラシ歯列３０Ｒ２より湾曲端縁の側に位置する第１端縁側ブラシ歯列５１と第２端縁側ブラシ歯列５２とは、第１歯間ピッチＰ１より狭く毛髪梳きの際の摩擦による毛髪へのテンション付与が可能な間隔でブラシ歯をブラシ本体の長手方向に沿って櫛歯列状に並べて備える。本実施例では、上記第１、第２の端縁側ブラシ歯列のブラシ歯間隔を、第２ブラシ歯列４０における第２歯間ピッチＰ２と同程度とした。また、図１や図４における最湾曲端縁側の左右の第１端縁側ブラシ歯列５１は、図４に示すように、それぞれのブラシ歯列におけるブラシ歯の基部が背中合わせとなるようにほぼ１８０°の開きを持ってブラシ歯を外側に向けて備える。また、左右の第２端縁側ブラシ歯列５２は、第１端縁側ブラシ歯列５１と第１ブラシ歯列３０Ｌ２、第１端縁側ブラシ歯列５１と第１ブラシ歯列３０Ｒ２のほぼ中間に位置するよう、ブラシ歯を外側に向けて備える。
【００３２】
上記した第１ブラシ歯列３０と第２ブラシ歯列４０と第１端縁側ブラシ歯列５１および第２端縁側ブラシ歯列５２をブラシ本体２０に設けるには、図４に示すように、各ブラシ歯列を平板状のブラシ歯設置シート体３１に設けた上で、このブラシ歯設置シート体３１を湾曲したブラシ歯列設置部２１に沿うよう設置すればよい。この他、各ブラシ歯列を湾曲したブラシ歯列設置部２１から直接突出するよう形成することもできる。
【００３３】
次に、上記した本実施例のヘアーブラシ１０を用いた毛髪のストレートパーマ施術について説明する。まず、ストレートパーマを所望する本人（使用者）は、自身の縮毛頭髪にクリーム状ないしペースト状の第１パーマ剤を付着して保持する。パーマ剤の縮毛への付着は、第１パーマ剤を乗せた使用者自身の片手の掌ともう片方の手の掌で縮毛を挟んだ上で、手を縮毛先端側に動かすことでなされる。或いは、パーマ剤付着用の専用ブラシに第１パーマ剤を保持して、そのブラシで縮毛を梳くことで第１パーマ剤を縮毛に付着させるようにすることもできる。頭皮付近の縮毛については、第１パーマ剤を乗せた掌を頭皮に押し当てたり、専用ブラシを頭皮に接触させることでパーマ剤を付着させる。
【００３４】
第１パーマ剤の付着後は、パーマ剤が縮毛に馴染むようしばらく放置してから頭髪をすすぎ洗いし、半乾きにする。これにより、第１パーマ剤が頭髪（縮毛）に浸透し、このパーマ剤浸透により、毛髪の縮れ状態の形状保持能力が弱くなる。使用者は、これ以降において自身でヘアーブラシ１０を使ってストレートパーマを自身の頭髪（縮毛）に掛ける。図８はストレートパーマを所望する本人（使用者）自身によるストレートパーマ施術の様子を模式的に示す説明図、図９はストレートパーマ施術の際の毛髪の梳きの様子を模式的に示す説明図である。
【００３５】
使用者は、第１パーマ剤浸透済みの頭髪の毛髪（縮毛）を緊張下で加熱すべく、図８に示すように、一方の手でヘアーブラシ１０の把持部１２を単純に握るように把持してヘアーブラシ１０を毛髪の根元側から毛先側に動かす毛髪の梳き動作を行いつつ、もう片方の手で持ったドライヤーＨＤから温風を毛髪（縮毛）に吹き付ける。ヘアーブラシ１０は、上記した毛髪梳き動作に伴って第１ブラシ歯列３０により既述したように毛髪（縮毛）の毛流れを整えた上で、第２ブラシ歯列４０により毛髪（縮毛）にテンションを付与して、毛髪（縮毛）をほぼ真っ直ぐに伸ばした状態とする（図９（Ａ）参照）。しかも、ヘアーブラシ１０は、使用者が毛髪梳き動作を途中で中断してブラシを梳き動作の中断位置に留め置きさえすれば、毛髪（縮毛）との摩擦に基づいて第２ブラシ歯列４０により毛髪（縮毛）にテンションを付与してその毛髪（縮毛）をほぼ真っ直ぐに伸ばした状態のままとする。このため、使用者は、片方の手で握ったヘアーブラシ１０を梳き動作途中で留め置いて、他方の手でドライヤーＨＤから温風を容易に毛髪（縮毛）に吹き付けることができる。そして、第１パーマ剤浸透済みの頭髪の毛髪（縮毛）は、ほぼ真っ直ぐに伸ばされた状態で温風を受けるので、第１パーマ剤による薬効により毛髪の縮れ状態の形状保持能力は更に弱くなり、ストレート状にパーマされた毛髪となる。
【００３６】
その後は、ストレート形態の保持のため、毛髪の形状保持力回復を図る第２パーマ剤をその容器から毛髪に振り掛けて塗布する。第２パーマ剤付着済み毛髪についても、しばらく放置して毛髪への第２パーマ剤の馴染みを待ってから、すすぎ洗いして乾燥させる。これにより、毛髪（縮毛）は、ストレート状にパーマされた状態に固定され真っ直ぐに矯正される。
【００３７】
以上説明したように、縮毛のストレートパーマを所望する使用者自らが本実施例のヘアーブラシ１０を用いてストレートパーマ施術を行う場合、その使用者本人はヘアーブラシ１０での毛髪梳き動作を行うだけで、毛髪（縮毛）にテンションを容易且つ確実に付与できる。そして、本実施例のヘアーブラシ１０によれば、使用者自らのブラシ操作に伴うテンション付与に際して、その使用者には、二本の柄を把持してその把持状況を維持するような特異な把持動作を強要しない。しかも、使用者が毛髪梳き動作を途中で中断してヘアーブラシを梳き動作の中断位置に留め置きさえすれば、本実施例のヘアーブラシ１０は、毛髪（縮毛）との摩擦に基づいて第２ブラシ歯列４０により毛髪にテンションを付与したままとする。よって、本実施例のヘアーブラシ１０によれば、使用者は、図８に示すように、片方の手で把持部１２を単純に握るように把持してヘアーブラシ１０の毛髪の梳き動作を行い、もう片方の手で持ったドライヤーＨＤから温風を容易に毛髪に吹き付けることができる。このため、本実施例のヘアーブラシ１０は、縮毛のストレートパーマを所望する使用者自らによるストレートパーマに適したヘアーブラシとなる。
【００３８】
また、本実施例のヘアーブラシ１０では、図４に示すように、第２ブラシ歯列４０のブラシ歯を第１ブラシ歯列３０のブラシ歯より短くしたので、ブラシ歯の長い第１ブラシ歯列３０で確実に先に梳かれて毛流れを整えられた毛髪（縮毛）を、ブラシ歯の短い第２ブラシ歯列４０で梳くことができる。このため、第１ブラシ歯列３０にて毛流れが整えられた毛髪に対しての第２ブラシ歯列４０によるテンション付与とこれに伴う毛髪のストレート状の維持とが確実となり、縮毛のストレートパーマに際しての縮毛のストレート化とその保持に好適となる。
【００３９】
また、本実施例のヘアーブラシ１０では、図５に示すように、第１ブラシ歯列３０における隣り合う第１ブラシ歯列３０Ｌ１と第１ブラシ歯列３０Ｌ２、および第１ブラシ歯列３０Ｒ１と第１ブラシ歯列３０Ｒ２においてブラシ歯を第１歯間ピッチＰ１で互い違いに備えるようにした。このため、隣り合う第１ブラシ歯列３０Ｌ１と第１ブラシ歯列３０Ｌ２、および第１ブラシ歯列３０Ｒ１と第１ブラシ歯列３０Ｒ２による毛髪梳きの際の毛流れの整列化を高めることができ、好ましい。
【００４０】
また、本実施例のヘアーブラシ１０では、図４に示すように、ブラシ本体２０のブラシ歯列設置部２１を湾曲させて、その湾曲部位に第１ブラシ歯列３０と第２ブラシ歯列４０とを備えるので、多列の第１ブラシ歯列３０とその間の第２ブラシ歯列４０とをブラシ歯列設置部２１の湾曲に倣ったアーチ状のブラシ歯列とできる。よって、使用者が毛髪梳き動作の中断位置にヘアーブラシ１０を留め置く際に、その使用者がヘアーブラシを回転させることで（図９（Ｂ）参照）、アーチ軌跡範囲において毛髪がそれぞれの第２ブラシ歯列４０で梳かれることから、容易に毛髪にテンションを付与したままとできる。つまりは、ストレートパーマ施術でのストレートパーマの実効性が高まる。
【００４１】
しかも、本実施例のヘアーブラシ１０では、湾曲したブラシ歯列設置部２１の湾曲端縁の側に第１端縁側ブラシ歯列５１と第２端縁側ブラシ歯列５２を備え、この両ブラシ歯列を、第１歯間ピッチＰ１より狭く毛髪梳きの際の摩擦による毛髪へのテンション付与が可能な間隔でブラシ歯を列状に並べたものとした。このため、ヘアーブラシ１０を上記したように回転させた際には（図９（Ｂ）参照）、この第１端縁側ブラシ歯列５１と第２端縁側ブラシ歯列５２によっても毛髪との摩擦によりテンションを毛髪に付与できるので、毛髪へのテンション付与およびテンション維持が容易となる。
【００４２】
更に、湾曲したブラシ歯列設置部２１の両端に位置する第１端縁側ブラシ歯列５１を、ブラシ歯の基部が背中合わせとなるようにブラシ歯を外側に向けて備えるものとした。このため、湾曲したブラシ歯列設置部両端のブラシ左右の第１端縁側ブラシ歯列５１は、ブラシ歯を１８０°の開きを持って並べるので、毛髪へのテンション付与とテンション維持を図るための上記したヘアーブラシの回転動作の許容範囲が広がり、ヘアーブラシ１０の使用方法の多様化を図ることができる。
【００４３】
次に、変形例について説明する。図１０は変形例のヘアーブラシ１０Ａを説明するための説明図である。この変形例は、第１ブラシ歯列３０と第２ブラシ歯列４０とを有するブラシ本体を把持部に対して脱着可能とした点に特徴がある。図示するように、この変形例のヘアーブラシ１０Ａは、把持部１２Ａにブラシ本体２０Ａを連設するに当たり、この把持部１２Ａとブラシ本体２０Ａをその連設箇所において分解可能な別部品として備える。把持部１２Ａは、ブラシ本体２０Ａの側の端部に平板状の保持片１３を備える。この保持片１３は、把持部１２Ａの上記端部の端面から突出し、突出基部の両側に側方係合突起１４を備え、図における上面側に上方係合突起１５を備える。
【００４４】
ブラシ本体２０Ａは、把持部１２Ａの側の端部に、保持片１３が挿入される挿入孔部２３を備える。挿入孔部２３は、その両側壁に側方係合突起１４が係合する係合凹所２４を備え、挿入孔部２３の上部壁には、上方係合突起１５の形状に倣って切り欠かれた係合切欠２５が形成されている。よって、ブラシ本体２０Ａの挿入孔部２３に把持部１２Ａの保持片１３を挿入させた上で、係合凹所２４に側方係合突起１４を、係合切欠２５に上方係合突起１５を係合させることで、把持部１２Ａとブラシ本体２０Ａが連設したヘアーブラシ１０Ａを得ることができる。
【００４５】
この変形例のヘアーブラシ１０Ａでは、ストレートパーマ施術に繰り返し使用されたためにパーマ薬剤が第１ブラシ歯列３０や第２ブラシ歯列４０に付着してブラシ歯が汚れたり、第２ブラシ歯列４０のブラシ歯間で薬剤が硬化したりした場合には、ブラシ本体２０Ａを把持部１２Ａから取り外して交換できる。このため、変形例のヘアーブラシ１０Ａによれば、再使用への対処が容易となる。
【００４６】
図１１はまた別の変形例のヘアーブラシ１０Ｂを説明するための説明図である。この変形例は、第１パーマ剤や第２パーマ剤の毛髪への付着がヘアーブラシ自体で可能な点に特徴がある。図示するように、この変形例のヘアーブラシ１０Ｂは、ブラシ本体２０Ｂにおいて、第１ブラシ歯列３０や第２ブラシ歯列４０の配設側を本体前面とし、その裏面側の本体背面に、パーマ剤付着用ブラシ部２６を備える。このパーマ剤付着用ブラシ部２６は、Ｖ字状に開いた側方ブラシ歯列２６ａと、このブラシ歯列に囲まれた端部ブラシ歯列２６ｂと内側ブラシ歯列２６ｃのブラシ歯列と、ブラシ歯列の並びと交差するよう左右に延びた係合凸条２７と、当該凸条側面から突出した係合突起２８とを備える。端部ブラシ歯列２６ｂは、内側ブラシ歯列２６ｃより長いブラシ歯を有することから、パーマ剤付着用ブラシ部２６は、Ｖ字状に開いた側方ブラシ歯列２６ａに囲まれた内側ブラシ歯列２６ｃの上に絞り出されたペースト状のパーマ薬剤を、側方ブラシ歯列２６ａと端部ブラシ歯列２６ｂとで保持する。よって、パーマ薬剤を保持した状態のパーマ剤付着用ブラシ部２６にて毛髪を梳くことで、毛髪にパーマ薬剤を付着させることができる。
【００４７】
ブラシ本体２０Ｂは、本体背面に係合凸条２７が挿入される挿入溝部２９ａを把持部１２Ｂの側に延ばして備える。挿入溝部２９ａは、その両側壁に係合突起２８が係合する係合凹所２９ｂを備え、挿入溝部２９ａの上部壁は、パーマ剤付着用ブラシ部２６の形状に倣って切り欠かれた係合切欠２９ｃとされている。よって、ブラシ本体２０Ａの挿入溝部２９ａにパーマ剤付着用ブラシ部２６の係合凸条２７を挿入させた上で、係合凹所２９ｂに係合突起２８を、係合切欠２９ｃにパーマ剤付着用ブラシ部２６を係合させることで、ブラシ本体２０Ａの背面にパーマ剤付着用ブラシ部２６を備えるヘアーブラシ１０Ｂを得ることができる。
【００４８】
この変形例のヘアーブラシ１０Ｂでは、ストレートパーマ施術に用いる第１パーマ剤や第２パーマ剤の保持と毛髪の梳き動作に伴う毛髪へのパーマ薬剤塗布とが可能なパーマ剤付着用ブラシ部２６を着脱自在とできる。このため、変形例のヘアーブラシ１０Ｂによれば、毛髪へのパーマ薬剤塗布を手を用いないで行うようにすることもできる。
【００４９】
次に、ブラシ歯列の形態が相違する他の実施例について説明する。図１２は第２実施例のヘアーブラシ１１０の正面図、図１３はヘアーブラシ１１０の右側面図、図１４はヘアーブラシ１１０の平面図、図１５はヘアーブラシ１１０の底面図、図１６はヘアーブラシ１１０の背面図である。なお、ヘアーブラシ１１０の左側面図は右側面図と対称につき、図示を省略する。以下のヘアーブラシ１１０の説明に際しては、共通する部材については同一の部材名を用いることとする。
【００５０】
このヘアーブラシ１１０にあっても、把持部１１２にブラシ本体１２０を連設して備え、把持部１１２は、ブラシ側とその背面に滑り止め用の弧状形状の凸部１１２ａとストレート状の凸部１１２ｂを備える。
【００５１】
ヘアーブラシ１１０が図１２に示すようにその正面に備えるブラシ本体１２０は、板状のブラシ歯列設置部１２１に第１ブラシ歯列１３０と第２ブラシ歯列１４０とを備え、本体背面には背面ブラシ部２００を備える。第１ブラシ歯列１３０は、ブラシ歯列設置部１２１の正面側両端に形成され、それぞれのブラシ歯を外側に開くよう傾斜して延ばしている。そして、それぞれの第１ブラシ歯列１３０は、ブラシ歯を毛髪の梳きが可能な既述した第１歯間ピッチＰ１で櫛歯列状に並べており、列両端のブラシ歯については厚肉としている。
【００５２】
第２ブラシ歯列１４０は、第１ブラシ歯列１３０の列間に配設されており、第１歯間ピッチＰ１より狭い第２歯間ピッチＰ２でブラシ歯を櫛歯列状に並べて隣り合う３列の並列ブラシ歯列である。そして、第２ブラシ歯列１４０は、各並列ブラシ歯列の両端に、端部櫛歯１４０ａを備える。図１７は図１２における１７−１７線断面端面図、図１８は図１２における１８−１８線断面端面図、図１９は図５相当図であり第１ブラシ歯列１３０と第２ブラシ歯列１４０のブラシ歯配列の様子を説明する説明図である。なお、この図１６では傾斜した第１ブラシ歯列１３０のブラシ歯を真っ直ぐのものとして仮定した場合のブラシ歯配列の様子が示されている。
【００５３】
この図１９に示すように、第２ブラシ歯列１４０を構成するよう隣り合って並んだ３列の第１並列ブラシ歯列１４１〜第３並列ブラシ歯列１４３は、それぞれのブラシ歯列におけるブラシ歯を第２歯間ピッチＰ２で櫛歯列状に並べた上で、隣り合うブラシ歯列ではブラシ歯が互い違いとなるように備える。このため、第２ブラシ歯列１４０は、隣り合って並んだ２列の第１並列ブラシ歯列１４１と第２並列ブラシ歯列１４２、および第２並列ブラシ歯列１４２と第３並列ブラシ歯列１４３において、第２歯間ピッチＰ２の半分のピッチでブラシ歯を千鳥状に備えることになる。
【００５４】
本実施例にあっても、第１歯間ピッチＰ１や第２歯間ピッチＰ２については既述したピッチを採用したので、図６や図７で説明したように、毛髪の梳きが可能な第１歯間ピッチＰ１でブラシ歯を櫛歯列状に並べた第１ブラシ歯列１３０による毛流れの整えと、ブラシ歯が狭いピッチで互い違いの千鳥状の第２ブラシ歯列１４０による毛髪（縮毛）との摩擦による毛髪へのテンション付与とを達成できる。このため、本実施例のヘアーブラシ１１０にあっても、これを既述した毛髪のストレートパーマ施術に用いるに当たり、使用者は、片方の手で握ったヘアーブラシ１１０を梳き動作途中で留め置いて毛髪にテンションを掛けて毛髪を真っ直ぐとし、その状態の毛髪に、他方の手でドライヤーＨＤから温風を容易に吹き付けることができる。このため、ヘアーブラシ１１０によっても、二本の柄を把持してその把持状況を維持するような特異な把持動作を強要しないので、既述した効果を奏することができる。
【００５５】
この実施例のヘアーブラシ１１０が本体背面に備える背面ブラシ部２００は、図１３〜図１６に示すように、ブラシ歯列設置部１２１の背面から真っ直ぐに伸びたブラシ歯を櫛歯列状に並べた４列の並列ブラシ歯列として構成される。そして、背面ブラシ部２００は、その各並列ブラシ歯列におけるブラシ歯ピッチを毛髪の好きが可能なピッチ、具体的には４〜５ｍｍのピッチで並べて備える。このため、ヘアーブラシ１１０では、ストレートパーマの施術前、或いは施術後において、毛流れの整えのための毛髪の梳きを背面ブラシ部２００により容易に実行できる。しかも、この背面ブラシ部２００は、櫛歯列状に並んだ各ブラシ歯の上に絞り出されたペースト状のパーマ薬剤を各ブラシ歯およびブラシ歯間に保持できるので、パーマ薬剤を保持した状態の背面ブラシ部２００にて毛髪を梳くことで、毛髪にパーマ薬剤を付着させることができる。
【００５６】
上記したヘアーブラシ１１０は、次のように変形することができる。図２０は変形例のヘアーブラシ１１０Ａの正面図、図２１はヘアーブラシ１１０Ａの右側面図、図２１はヘアーブラシ１１０Ａの平面図、図２２はヘアーブラシ１１０Ａの平面図、図２３はヘアーブラシ１１０Ａの底面図、図２４はヘアーブラシ１１０Ａの背面図、図２５は図２０における２５−２５線断面図である。なお、ヘアーブラシ１１０Ａの左側面図は右側面図と対称につき、図示を省略する。また、図２０の正面図において、ヘアーブラシ１１０Ａを図１２の１７−１７線および１８−１８線の断面線で断面視すれば、その断面端面図は図１７および図１８と同じとなる。
【００５７】
この変形例のヘアーブラシ１１０Ａは、既述したヘアーブラシ１１０と同様に、把持部１１２やブラシ本体１２０、第１ブラシ歯列１３０とこれより短寸のブラシ歯を有する第２ブラシ歯列１４０等を備える。そして、毛髪の梳きが可能な第１歯間ピッチＰ１でブラシ歯を櫛歯列状に並べた第１ブラシ歯列１３０においては、各ブラシ歯間に歯の長さが短い短寸ブラシ歯１３１を配列させている。このため、ヘアーブラシ１１０Ａによれば、次の利点がある。
【００５８】
上記したように第１ブラシ歯列１３０と第２ブラシ歯列１４０とでブラシ歯の長さに長短を設け、第１ブラシ歯列１３０のブラシ歯を第２ブラシ歯列１４０より長くした。このため、第１ブラシ歯列１３０は、第２ブラシ歯列１４０のブラシ歯より長いブラシ歯部分において、既述した毛髪梳き動作に伴う毛流れの整えを必然的に起こす。その一方、ヘアーブラシ１１０Ａは、毛髪の梳きが可能な第１歯間ピッチＰ１で並んだブラシ歯の間に、第２ブラシ歯列１４０のブラシ歯と同程度の長さもしくはこれより短い長さの短寸ブラシ歯１３１を備えるので、第１ブラシ歯列１３０では、元々備えるブラシ歯とこの短寸ブラシ歯１３１とが櫛歯列状に短ピッチで並ぶことになる。よって、短寸ブラシ歯１３１のブラシ歯長さに亘る範囲において、第１ブラシ歯列１３０は、短ピッチでのプラシ歯の並びにより毛髪梳き動作の際に毛髪にテンションを付与する。よって、この変形例のヘアーブラシ１１０Ａによれば、第１ブラシ歯列１３０によるテンション付与が可能な分だけ、毛髪へのテンション付与の実効性を高めることができる。
【００５９】
上記したヘアーブラシ１１０は、次のようにも変形することができる。図２６はまた別の変形例のヘアーブラシ１１０Ｂの正面図、図２７はヘアーブラシ１１０Ｂの右側面図、図２８はヘアーブラシ１１０Ｂの平面図、図２９はヘアーブラシ１１０Ｂの底面図、図３０はヘアーブラシ１１０Ｂの背面図、図３１は図２６における３１−３１線断面図である。なお、ヘアーブラシ１１０Ｂの左側面図は右側面図と対称につき、図示を省略する。
【００６０】
この変形例のヘアーブラシ１１０Ｂは、既述したヘアーブラシ１１０Ａと同様に、把持部１１２やブラシ本体１２０、第１ブラシ歯列１３０とこれより短寸のブラシ歯を有する第２ブラシ歯列１４０、および第１ブラシ歯列１３０のブラシ歯間の短寸ブラシ歯１３１等を備える。そして、ヘアーブラシ１１０Ｂにあっては、上記したヘアーブラシ１１０Ａの構成に加えて、ブラシ歯列設置部１２１の両端縁の側に端縁側ブラシ歯列１５１を備える。この端縁側ブラシ歯列１５１は、第１歯間ピッチＰ１より狭く毛髪梳きの際の摩擦による毛髪へのテンション付与が可能な間隔でブラシ歯をブラシ本体の長手方向に沿って櫛歯列状に並べており、列両端のブラシ歯については厚肉としている。本実施例では、端縁側ブラシ歯列１５１のブラシ歯間隔を、第２ブラシ歯列４０における第２歯間ピッチＰ２と同程度とした上で、端縁側ブラシ歯列１５１の各ブラシ歯を、短寸ブラシ歯１３１を含めた第１ブラシ歯列１３０のブラシ歯のブラシ歯間に位置するようにした。また、ブラシ歯列設置部１２１の両端縁の端縁側ブラシ歯列１５１は、図２６〜図３１に示すように、それぞれのブラシ歯列におけるブラシ歯の基部が背中合わせとなるようにほぼ１８０°の開きを持ってブラシ歯を外側に向けて備える。このため、ヘアーブラシ１１０Ｂによれば、既述したヘアーブラシ１１０Ａと同様の効果を奏することができるほか、図１等に示したように第１端縁側ブラシ歯列５１を有する既述した実施例のヘアーブラシ１０と同様の効果を奏することもできる。
【００６１】
つまり、このヘアーブラシ１１０Ｂによっても、既述したようにブラシ回転に伴って、端縁側ブラシ歯列１５１によっても毛髪との摩擦によりテンションを毛髪に付与できるので、毛髪へのテンション付与およびテンション維持が容易となる。
【００６２】
更に、ブラシ歯列設置部１２１の両端に位置する端縁側ブラシ歯列１５１がそのブラシ歯の基部を背中合わせとなるようにブラシ歯を外側に向けて、ブラシ歯を１８０°の開きを持って並べるので、毛髪へのテンション付与とテンション維持を図るための上記したヘアーブラシの回転動作の許容範囲が広がり、ヘアーブラシ１１０Ｂの使用方法の多様化を図ることができる。なお、上記したヘアーブラシ１１０Ｂは、ヘアーブラシ１１０Ａの構成に加えて既述したように端縁側ブラシ歯列１５１を備えることから、図２６の正面図において、このヘアーブラシ１１０Ｂを図１２の１７−１７線と１８−１８線および図２０の２５−２５線の断面線で断面視すれば、その断面図は、図１７と図１８の断面端面図および図２５の断面図に端縁側ブラシ歯列１５１の外郭が映り込んだ断面図となる。
【００６３】
次に、ブラシ歯列の形態が相違するまた別の実施例について説明する。図３２はまた別の実施例のヘアーブラシ２１０の正面図、図３３はヘアーブラシ２１０の右側面図、図３４はヘアーブラシ２１０の平面図、図３５はヘアーブラシ２１０の底面図、図３６はヘアーブラシ２１０の背面図である。なお、ヘアーブラシ２１０の左側面図は右側面図と対称につき、図示を省略する。
【００６４】
この実施例のヘアーブラシ２１０は、既述したヘアーブラシ１１０Ａと同様に、把持部１１２やブラシ本体１２０、第１ブラシ歯列１３０とそのブラシ歯間の短寸ブラシ歯１３１等を備える。そして、ヘアーブラシ２１０にあっては、ヘアーブラシ１１０Ａにおける第２ブラシ歯列１４０に代わり、端部櫛歯１４０ａの間に、多数本の毛を束ねた毛束をブラシ本体長手方向に沿って列状に並べた植毛ブラシ列を並列配置した第２ブラシ歯列２４０を備える。
【００６５】
この第２ブラシ歯列２４０は、ヘアーブラシ１１０Ａの第２ブラシ歯列１４０と同様、隣り合って並んだ３列の第１並列ブラシ歯列２４１〜第３並列ブラシ歯列２４３を備える。それぞれの並列ブラシ歯列における毛束は、その束ねた多数本の毛を毛髪梳き動作の際に毛髪に梳き絡ませるので、多数本の毛と毛髪との摩擦により毛髪にテンションを付与する。つまり、第１並列ブラシ歯列２４１〜第３並列ブラシ歯列２４３におけるそれぞれの毛束自体でテンション付与を行うことから、第２ブラシ歯列２４０では、その両側の第１並列ブラシ歯列２４１と第３並列ブラシ歯列２４３については毛束のピッチを第１歯間ピッチＰ１と同程度とし、中央の第２並列ブラシ歯列２４２にあっては毛束のピッチをその両側のブラシ列の２倍としている。これら毛束のピッチは、それぞれの毛束における毛の本数や第２ブラシ歯列２４０を構成する並列ブラシ歯列の列数に応じて適宜設定でき、毛髪梳き動作に伴う毛束によるテンション付与が可能なピッチとして実用に耐える範囲において適宜設定される。
【００６６】
上記したヘアーブラシ２１０にあっても、第２ブラシ歯列２４０を構成する第１並列ブラシ歯列２４１〜第３並列ブラシ歯列２４３のそれぞれの毛束において毛髪との摩擦により毛髪にテンションを付与するので、既述した実施例と同様の効果を奏することができる。なお、上記したヘアーブラシ２１０は、ヘアーブラシ１１０Ａにおける第２ブラシ歯列１４０に代わって植毛ブラシ列の第２ブラシ歯列２４０を備えることから、図３２の正面図において、このヘアーブラシ２１０を図１２の１７−１７線と１８−１８線および図２０の２５−２５線の断面線で断面視すれば、その断面図は、図１７と図１８の断面端面図および図２５の断面図の第２ブラシ歯列１４０（第１並列ブラシ歯列１４１〜第３並列ブラシ歯列１４３）が植毛ブラシの毛束が映り込んだ断面図となる。
【００６７】
本発明は上記した実施例や実施形態に限られるものではなく、その要旨を逸脱しない範囲において、種々の態様で実施可能である。例えば、ヘアーブラシ１０においては、ブラシ歯列設置部２１の両端縁側に第１端縁側ブラシ歯列５１と第２端縁側ブラシ歯列５２とを有するものとしたが、いずれか一方のブラシ歯列とすることもできる。
【００６８】
また、第２ブラシ歯列４０を構成する第１並列ブラシ歯列４１と第２並列ブラシ歯列４２における第２歯間ピッチＰ２については、上記した約２ｍｍのピッチに限られるものではなく、ヘアーブラシ１０を毛髪の根元側から毛先側に動かす毛髪の梳き動作に伴って、毛髪梳きの際の毛髪（縮毛）との摩擦により毛髪にテンションを付与可能なブラシ歯間隔として実用に耐える範囲において適宜設定される。第１ブラシ歯列３０のブラシ歯の長さや第２ブラシ歯列４０のブラシ歯の長さについても、上記した実施例で採用した長さに限られず、毛髪梳きの実用に耐える範囲で適宜設定できる。
【００６９】
また、第１ブラシ歯列３０の列数や、第２ブラシ歯列４０を構成する並列ブラシ歯列の列数は、上記した実施例で採用した列数（前者は４列、後者は２列）に限られるものではなく、ブラシ歯列設置部２１における湾曲面のブラシ歯列配設スペースを考慮して、適宜設定できる。
【００７０】
この他、第１ブラシ歯列３０と第２ブラシ歯列４０と第１端縁側ブラシ歯列５１と第２端縁側ブラシ歯列５２とを備えたブラシ歯列設置部２１を、ブラシ本体２０から着脱できるように構成しても良い。つまり、上記の各ブラシ歯列を有するブラシ歯列設置部２１単独での着脱でもよく、このブラシ歯列設置部２１を含むブラシ本体部位を図１０で説明したように着脱するようにすることもできる。
【００７１】
また、図１２〜図１６に示したヘアーブラシ１１０やその変形例のヘアーブラシ１１０Ａ〜１１０Ｂおよび図３２〜図３５に示したヘアーブラシ２１０を、把持部１１２とブラシ本体１２０とにおいて分離させ、両者を着脱自在とするように構成することもできる。
【００７２】
また、上記のヘアーブラシ１１０やその変形例のヘアーブラシ１１０Ａ〜１１０Ｂおよびヘアーブラシ２１０において、ブラシ本体背面の背面ブラシ部２００を省略したり、ブラシ本体背面に着脱自在とするように構成することもできる。
【００７３】
この他、ヘアーブラシ１１０Ｂやヘアーブラシ２１０を、ヘアーブラシ１１０と同様に、短寸のブラシ歯を有しない第１ブラシ歯列１３０を備えるものとして構成することもできる。
【符号の説明】
【００７４】
１０、１０Ａ〜１０Ｂ…ヘアーブラシ
１２、１２Ａ〜１２Ｂ…把持部
１２ａ…凸部
１２ｂ…凸部
１３…保持片
１４…側方係合突起
１５…上方係合突起
２０、２０Ａ〜２０Ｂ…ブラシ本体
２１…ブラシ歯列設置部
２３…挿入孔部
２４…係合凹所
２５…係合切欠
２６…パーマ剤付着用ブラシ部
２６ａ…側方ブラシ歯列
２６ｂ…端部ブラシ歯列
２６ｃ…内側ブラシ歯列
２７…係合凸条
２８…係合突起
２９ａ…挿入溝部
２９ｂ…係合凹所
２９ｃ…係合切欠
３０…第１ブラシ歯列
３０Ｌ１〜３０Ｌ２…第１ブラシ歯列
３０Ｒ１〜３０Ｒ２…第１ブラシ歯列
３１…ブラシ歯設置シート体
４０…第２ブラシ歯列
４１…第１並列ブラシ歯列
４２…第２並列ブラシ歯列
５１…第１端縁側ブラシ歯列
５２…第２端縁側ブラシ歯列
１１０、１１０Ａ〜１１０Ｂ…ヘアーブラシ
１１２…把持部
１１２ａ…凸部
１１２ｂ…凸部
１２０…ブラシ本体
１２１…ブラシ歯列設置部
１３０…第１ブラシ歯列
１３１…短寸ブラシ歯
１４０…第２ブラシ歯列
１４０ａ…端部櫛歯
１４１…第１並列ブラシ歯列
１４２…第２並列ブラシ歯列
１４３…第３並列ブラシ歯列
１５１…端縁側ブラシ歯列
２００…背面ブラシ部
２１０…ヘアーブラシ
２４０…第２ブラシ歯列
２４１…第１並列ブラシ歯列
２４２…第２並列ブラシ歯列
２４３…第３並列ブラシ歯列
Ｐ１…第１歯間ピッチ
Ｐ２…第２歯間ピッチ
ＨＤ…ドライヤー
【図１】
2011045612.tif 000003
【図２】
2011045612.tif 000004
【図３】
2011045612.tif 000005
【図４】
2011045612.tif 000006
【図５】
2011045612.tif 000007
【図６】
2011045612.tif 000008
【図７】
2011045612.tif 000009
【図８】
2011045612.tif 000010
【図９】
2011045612.tif 000011
【図１０】
2011045612.tif 000012
【図１１】
2011045612.tif 000013
【図１２】
2011045612.tif 000014
【図１３】
2011045612.tif 000015
【図１４】
2011045612.tif 000016
【図１５】
2011045612.tif 000017
【図１６】
2011045612.tif 000018
【図１７】
2011045612.tif 000019
【図１８】
2011045612.tif 000020
【図１９】
2011045612.tif 000021
【図２０】
2011045612.tif 000022
【図２１】
2011045612.tif 000023
【図２２】
2011045612.tif 000024
【図２３】
2011045612.tif 000025
【図２４】
2011045612.tif 000026
【図２５】
2011045612.tif 000027
【図２６】
2011045612.tif 000028
【図２７】
2011045612.tif 000029
【図２８】
2011045612.tif 000030
【図２９】
2011045612.tif 000031
【図３０】
2011045612.tif 000032
【図３１】
2011045612.tif 000033
【図３２】
2011045612.tif 000034
【図３３】
2011045612.tif 000035
【図３４】
2011045612.tif 000036
【図３５】
2011045612.tif 000037
【図３６】
2011045612.tif 000038